(57)【要約】【課題】見栄えの悪化や不利益を防止しつつ、オープンファスナにより２つの部分を着脱可能とする。【解決手段】板状の矩形のクッション材を覆うカバーは、上面カバー２０と下面カバー２１とから構成され、これらは、各々の外縁に取り付けられた１本のオープンファスナ４により着脱可能となっている。オープンファスナ４の始端４ｓ（箱や箱棒や蝶棒が設けられた端部）と終端４ｅとは、外縁の短辺の中央に配されており、オープンファスナ４の終端部分４ｂは、当該オープンファスナ４が閉じられた際に、始端部分４ａに覆われた状態となるよう配されている。【選択図】図３
2016174968.tif 000002
【特許請求の範囲】
【請求項１】
第１部分及び第２部分と、
前記第１部分と前記第２部分とを着脱可能に結合させるオープンファスナとして構成された１本の線ファスナと、備え、
前記第１部分に設けられた閉じた経路を第１経路とすると共に、前記第２部分に設けられた経路を第２経路とし、
前記線ファスナは、
その一端に、２本のエレメントの列を連結させる連結部が設けられており、
前記第１経路に沿って前記第１部分に取り付けられていると共に、前記第２経路に沿って前記第２部分に取り付けられており、
当該線ファスナが閉じられた際に、当該線ファスナにおける他端と該他端側から延びる前記エレメントとを含む部分である他端側部分が、前記一端を含む部分である一端側部分に覆われた状態となるように配されていること、
を特徴とする着脱具。
【請求項２】
第１部分及び第２部分と、
前記第１部分と前記第２部分とを着脱可能に結合させるオープンファスナとして構成された１本の線ファスナと、備え、
前記第１部分に設けられた閉じた経路を第１経路とすると共に、前記第２部分に設けられた経路を第２経路とし、
前記線ファスナは、
その一端に、２本のエレメントの列を連結させる連結部が設けられており、
前記第１経路に沿って前記第１部分に取り付けられていると共に、前記第２経路に沿って前記第２部分に取り付けられており、
当該線ファスナが閉じられた際に、当該線ファスナにおける他端を含む部分である他端側部分が、前記一端を含む部分である一端側部分に覆われた状態となるように配されていること、
を特徴とし、
前記線ファスナのスライダには、当該スライダが前記他端に到達して当該線ファスナが閉じられた際に、前記一端側部分からはみ出した状態となる柄部が設けられていること、
を特徴とする着脱具。
【請求項３】
第１部分及び第２部分と、
前記第１部分と前記第２部分とを着脱可能に結合させるオープンファスナとして構成された複数の線ファスナと、備え、
前記第１部分に設けられた閉じた経路を第１経路とすると共に、前記第２部分に設けられた経路を第２経路とし、
前記線ファスナは、その一端に、２本のエレメントの列を連結させる連結部が設けられており、
複数の前記線ファスナは、前記第１経路に沿って前記第１部分に取り付けられていると共に、前記第２経路に沿って前記第２部分に取り付けられており、
前記線ファスナは、当該線ファスナが閉じられた際に、当該線ファスナにおける他端を含む部分である他端側部分が、隣接する他の前記線ファスナである隣接線ファスナの前記一端を含む部分である一端側部分に覆われた状態となるように配されていること、
を特徴とする着脱具。
【請求項４】
請求項３に記載の着脱具において、
前記線ファスナのスライダには、当該スライダが当該線ファスナの前記他端に到達して当該線ファスナが閉じられた際に、閉じられた前記隣接線ファスナの前記一端側部分からはみ出した状態となる柄部が設けられていること、
を特徴とする着脱具。
【請求項５】
請求項１から請求項４のうちのいずれか１項に記載の着脱具において、
前記着脱具は、寝具用の１又は複数のクッション材を覆うカバーとして構成されており、
前記第１部分は、前記カバーにおける前記クッション材の一方の主面を覆う部分を含む部分として構成されており、
前記第１経路は、前記第１部分の外縁に沿って配されており、
前記第２部分は、前記カバーにおける前記クッション材の他方の主面を覆う部分を含む部分として構成されており、
前記第２経路は、前記第２部分の外縁に沿って配されていること、
を特徴とする着脱具。
【請求項６】
請求項１から請求項４のうちのいずれか１項に記載の着脱具において、
前記着脱具は、寝具用の１又は複数のクッション材を覆うカバーとして構成されており、
前記第１部分は、前記カバーにおける前記クッション材の一方の主面を覆う部分と、前記クッションの他方の主面を覆う部分と、の２つの部分として構成されており、
前記第１経路は、それぞれの前記第１部分の外縁に沿って配されており、
前記第２部分は、前記クッション材の側面を覆う帯状の部分として構成されており、
前記第２経路は、前記第２部分の一方の長手側の縁部に沿って配されていると共に、他方の長手側の縁部に沿って配されていること、
を特徴とする着脱具。
【発明の詳細な説明】
【技術分野】
【０００１】
本発明は、着脱具に関する。
【背景技術】
【０００２】
従来、縁部に沿って配されたオープンファスナにより着脱可能に構成された薄い上敷布団及び下敷布団と、これらの間に配される中芯から構成された敷布団が知られている（特許文献１）。このような敷布団によれば、上敷布団と下敷布団を別々に丸洗いすることができる。
【先行技術文献】
【特許文献】
【０００３】
【特許文献１】登実３０３１６８３号公報
【発明の概要】
【発明が解決しようとする課題】
【０００４】
ここで、下敷布団よりもユーザに近接した状態で使用される上敷布団は下敷布団よりも汚れ易いため、上敷布団のみを洗濯するという場合が想定されるが、上敷布団のみを繰り返し洗濯した結果、下敷布団よりも上敷布団が早期に劣化すると考えられる。
【０００５】
このような場合、上敷布団のみを単独で新品に交換することが考えられる。また、この他にも、季節や用途に応じて上敷布団を材質の異なるものに交換したり、カビ等が付着した下敷布団のみを単独で新品に交換したりすることも考えられる。しかしながら、従来は、布団等の寝具の一部分のみを交換するという発想は無かった。
【０００６】
そして、上敷布団のみを単独で新品に交換すると、上，下敷布団を着脱するオープンファスナは長いため、元からある下敷布団のテープに配されたエレメントの数と、新たな上敷布団のテープに配されたエレメントの数が相違してしまう可能性が高い。これにより、上，下敷布団を結合し、オープンファスナを完全に閉じた状態にしても、一部のエレメントが他方のテープに配されたエレメントと係合せず、むき出しの状態で放置されてしまう。
【０００７】
その結果、見栄えが悪化すると共に、例えば、むき出しになったエレメントがユーザの体や衣服等の物品に引っ掛かり、ユーザの体や物品等を傷つけるといった不利益が生じる恐れがある。
【０００８】
本願発明は、見栄えの悪化や不利益を防止しつつ、オープンファスナにより２つの部分を着脱可能とすることを目的とする。
【課題を解決するための手段】
【０００９】
上記課題に鑑みてなされた請求項１に係る発明は、第１部分及び第２部分と、第１部分と第２部分とを着脱可能に結合させるオープンファスナとして構成された１本の線ファスナと、備え、第１部分に設けられた閉じた経路を第１経路とすると共に、第２部分に設けられた経路を第２経路とし、線ファスナは、その一端に、２本のエレメントの列を連結させる連結部が設けられており、第１経路に沿って第１部分に取り付けられていると共に、第２経路に沿って第２部分に取り付けられており、当該線ファスナが閉じられた際に、当該線ファスナにおける他端と該他端側から延びるエレメントとを含む部分である他端側部分が、一端を含む部分である一端側部分に覆われた状態となるように配されていること、を特徴とする着脱具に関するものである。
【００１０】
このような構成によれば、線ファスナを完全に閉じた状態にすると、線ファスナの他端側部分は一端側部分に覆われた状態になるため、線ファスナにより第１部分と第２部分とを結合させた際に線ファスナの他端側部分を隠すことができる。
【００１１】
このため、仮に、第１部分又は第２部分を交換した結果、第１部分の線ファスナのエレメントの数と、第２部分の線ファスナのエレメントの数に相違が生じ、線ファスナを完全に閉じた際に他端側部分に係合不可能なエレメント（むき出しの状態になるエレメント）が生じたとしても、該エレメントが人目に付くことや、ユーザの体や衣服等の物品に引っ掛かることは無い。
【００１２】
したがって、見栄えの悪化や不利益を防止しつつ、オープンファスナにより２つの部分を着脱可能とすることができる。
なお、請求項２に記載されているように、第１部分及び第２部分と、第１部分と第２部分とを着脱可能に結合させるオープンファスナとして構成された１本の線ファスナと、備え、第１部分に設けられた閉じた経路を第１経路とすると共に、第２部分に設けられた経路を第２経路とし、線ファスナは、その一端に、２本のエレメントの列を連結させる連結部が設けられており、第１経路に沿って第１部分に取り付けられていると共に、第２経路に沿って第２部分に取り付けられており、当該線ファスナが閉じられた際に、当該線ファスナにおける他端を含む部分である他端側部分が、一端を含む部分である一端側部分に覆われた状態となるように配されていること、を特徴とし、線ファスナのスライダには、当該スライダが他端に到達して当該線ファスナが閉じられた際に、一端側部分からはみ出した状態となる柄部が設けられていても良い。
【００１３】
このような構成によれば、第１部分と第２部分とを結合させ、線ファスナを完全に閉じた際、線ファスナの一端側部分と他端側部分とに挟まれた空間にスライダを収納することができると共に、柄部が該空間からはみ出した状態にすることができる。このため、線ファスナを閉じた後、何かのはずみでスライダが移動し、線ファスナが開放されてしまうことを防止できる。また、ユーザが柄部を掴み易くなり、容易に線ファスナを開放して第１部分と第２部分を分離させることができる。
【００１４】
一方、請求項３に記載されているように、第１部分及び第２部分と、第１部分と第２部分とを着脱可能に結合させるオープンファスナとして構成された複数の線ファスナと、備え、第１部分に設けられた閉じた経路を第１経路とすると共に、第２部分に設けられた経路を第２経路とし、線ファスナは、その一端に、２本のエレメントの列を連結させる連結部が設けられており、複数の線ファスナは、第１経路に沿って第１部分に取り付けられていると共に、第２経路に沿って第２部分に取り付けられており、線ファスナは、当該線ファスナが閉じられた際に、当該線ファスナにおける他端を含む部分である他端側部分が、隣接する他の線ファスナである隣接線ファスナの一端を含む部分である一端側部分に覆われた状態となるように配されていること、を特徴とする着脱具を構成しても良い。
【００１５】
このような構成によれば、各線ファスナを完全に閉じた状態にすると、線ファスナの他端側部分は、隣接する他の線ファスナの一端側部分に覆われた状態になるため、線ファスナにより第１部分と第２部分とを結合させた際に、線ファスナの他端側部分を隠すことができる。
【００１６】
このため、仮に、第１部分又は第２部分を交換した結果、第１部分の線ファスナのエレメントの数と、第２部分の線ファスナのエレメントの数に相違が生じ、線ファスナを完全に閉じた際に他端側部分に係合不可能なエレメント（むき出しの状態になるエレメント）が生じたとしても、該エレメントが人目に付くことや、ユーザの体や衣服等の物品に引っ掛かることは無い。
【００１７】
したがって、見栄えの悪化や不利益を防止しつつ、オープンファスナにより２つの部分を着脱可能とすることができる。
なお、請求項４に記載されているように、線ファスナのスライダには、当該スライダが当該線ファスナの他端に到達して当該線ファスナが閉じられた際に、閉じられた隣接線ファスナの一端側部分からはみ出した状態となる柄部が設けられていても良い。
【００１８】
このような構成によれば、第１部分と第２部分とを結合させ、各線ファスナを完全に閉じた際、線ファスナの一端側部分と隣接線ファスナの他端側部分とに挟まれた空間にスライダを収納することができると共に、該空間から柄部がはみ出した状態にすることができる。このため、線ファスナを閉じた後、何かのはずみでスライダが移動し、線ファスナが開放されてしまうことを防止できる。また、ユーザが柄部を掴み易くなり、容易に線ファスナを開放して第１部分と第２部分を分離させることができる。
【００１９】
また、請求項５に記載されているように、着脱具は、寝具用の１又は複数のクッション材を覆うカバーとして構成されており、第１部分は、カバーにおけるクッション材の一方の主面を覆う部分を含む部分として構成されており、第１経路は、第１部分の外縁に沿って配されており、第２部分は、カバーにおけるクッション材の他方の主面を覆う部分を含む部分として構成されており、第２経路は、第２部分の外縁に沿って配されていても良い。
【００２０】
こうすることにより、見栄えの悪化や不利益を防止しつつ、カバーにおけるクッション材の一方の主面を覆う部分と、他方の主面を覆う部分とを着脱可能とすることができる。
また、請求項６に記載されているように、着脱具は、寝具用の１又は複数のクッション材を覆うカバーとして構成されており、第１部分は、カバーにおけるクッション材の一方の主面を覆う部分と、クッションの他方の主面を覆う部分と、の２つの部分として構成されており、第１経路は、それぞれの第１部分の外縁に沿って配されており、第２部分は、クッション材の側面を覆う帯状の部分として構成されており、第２経路は、第２部分の一方の長手側の縁部に沿って配されていると共に、他方の長手側の縁部に沿って配されていても良い。
【００２１】
こうすることにより、見栄えの悪化や不利益を防止しつつ、カバーにおけるクッション材の一方の主面を覆う部分と、側面を覆う部分とを着脱可能とすると共に、カバーにおけるクッション材の他方の主面を覆う部分と、側面を覆う部分とを着脱可能とすることができる。
【図面の簡単な説明】
【００２２】
【図１】第１実施形態の寝具用クッションの斜視図と、オープンファスナの始端部分の説明図である。
【図２】第１実施形態の寝具用クッションの分解斜視図である。
【図３】第１実施形態の下面カバーと上面カバーの内側におけるオープンファスナの配置状態を示す説明図と、オープンファスナの始端部分及び終端部分を示す説明図である。
【図４】第２実施形態の下面カバーと上面カバーの内側におけるオープンファスナの配置状態を示す説明図である。
【図５】第３実施形態の寝具用クッションの斜視図である。
【図６】第３実施形態の寝具用クッションの分解斜視図である。
【図７】第３実施形態の側面カバーの縁部と、上面カバーと下面カバーの内側におけるオープンファスナの配置状態を示す説明図である。
【図８】第４実施形態の上面カバーと下面カバーの内側におけるオープンファスナの配置状態を示す説明図である。
【図９】第４実施形態の側面カバーの縁部におけるオープンファスナの配置状態を示す説明図である。
【発明を実施するための形態】
【００２３】
以下、本発明の実施形態について図面を用いて説明する。なお、本発明の実施の形態は、下記の実施形態に何ら限定されることはなく、本発明の技術的範囲に属する限り種々の形態を採りうる。
【００２４】
［第１実施形態］
第１実施形態の寝具用クッション１は、マットレスとして構成されており、１又は複数の板状の矩形のクッション材３と、１つのクッション材３、又は、重なった状態で配された複数のクッション材３を覆うカバー２等から構成されている（図１，２参照）。
【００２５】
カバー２は、１つのクッション材３の上面，下面，側面全体、又は、重なった状態で配された複数のクッション材３における１番上に位置するクッション材３の上面と、１番下に位置するクッション材３の下面と、これらのクッション材３の側面全体を完全に覆う構成となっている。なお、図２では、一例として１つのクッション材３がカバー２に収納されている。
【００２６】
また、カバー２は、クッション材３の上面及び側面の上側を覆う上面カバー２０と、クッション材３の下面及び側面の下側を覆う下面カバー２１とから構成されており、これらは、１本のオープンファスナ４により着脱可能に構成されている。オープンファスナ４は、線ファスナとして構成されており、スライダ４１により開閉される。スライダ４１には、細長い矩形の布により構成され、スライダ４１を移動させる際の取手として機能する柄部４１ａが設けられている。なお、柄部４１ａは、布に限らず、例えば、金属や樹脂等からなる細長い部位として構成されていても良い。
【００２７】
次に、オープンファスナ４の構成や配置について詳しく説明する。オープンファスナ４は、上面テープ４２と下面テープ４３とから構成されており、上面テープ４２が上面カバー２０に、下面カバー２１が下面テープ４３に設けられている。
【００２８】
上面テープ４２は、上面カバー２０の外縁に沿って外縁の内側を取り囲むように取り付けられており、下面テープ４３も同様にして、下面カバー２１の外縁に沿って外縁の内側を取り囲むように取り付けられている。そして、上面カバー２０及び下面カバー２１の一方の短辺の中央位置に、オープンファスナ４の両端（換言すれば、上面テープ４２及び下面テープ４３の両端）が位置するよう配されている（図３参照）。
【００２９】
また、図１（ｂ），図３（ｃ），（ｄ）は、オープンファスナ４の両端の構成を示している。上面テープ４２では、エレメント４２ａの一端に蝶棒４２ｂが、他端に上止４２ｃが設けられている。下面テープ４３では、エレメント４３ａの一端に箱棒４３ｂ及び箱４３ｄが、他端に上止４３ｃが設けられており、該エレメント４３ａにはスライダ４１が取り付けられている。無論、スライダ４１を上面テープ４２のエレメント４２ａに取り付けても良い。
【００３０】
ここで、オープンファスナ４において、蝶棒４２ｂや、箱４３ｄ及び箱棒４３ｂが設けられた側の端部を始端４ｓとし、上止４２ｃ，４３ｃが設けられた側の端部を終端４ｅとする。また、オープンファスナ４における始端４ｓを含む予め定められた長さの区間を始端部分４ａとすると共に、終端４ｅを含む予め定められた長さの区間を終端部分４ｂとする。
【００３１】
オープンファスナ４の始端４ｓは、上述した短辺の中央位置に配されており、終端部分４ｂは、始端部分４ａの内側に配されている（図３参照）。このため、下面テープ４３の箱４３ｄ及びスライダ４１と、上面テープ４２の蝶棒４２ｂとを連結した後、スライダ４１を上止４２ｃ，４３ｃまで移動させ、オープンファスナ４を完全に閉じた状態（完全封鎖状態）にすると、終端部分４ｂは、始端部分４ａに覆われた状態になる（図１（ｂ）参照）。
【００３２】
また、上面テープ４２と下面テープ４３が分離した状態でスライダ４１を上止４３ｃまで移動させた際、柄部４１ａの先端が下面テープ４３の終端部分４ｂ（始端部分４ａと重なる部分）からはみ出た状態になるよう、柄部４１ａの長さや取付位置が調整されている（図３（ｃ）参照）。これにより、完全封鎖状態となった際、スライダ４１は始端部分４ａに覆われた状態となるが、柄部４１ａの先端が始端部分４ａから（箱４３ｄの裏側から）はみ出た状態となる（図１（ｃ）参照）。
【００３３】
一方、クッション材３は、表面に凹凸が設けられていると共に、裏面は平面となっている。無論、表面が平面となっているクッション材を用いても良い。また、寝具用クッション１に用いることができるクッション材３として、厚さの異なる複数の種類のクッション材３が設けられている。なお、クッション材３を用いる際、クッション材３（特に、一番上に位置するクッション材３）は、凹凸が形成された表面を上に配しても良いし、平面となっている裏面を上に配しても良い。
【００３４】
［第２実施形態］
次に、第２実施形態の寝具用クッション１について説明する。第２実施形態の寝具用クッション１は、第１実施形態と同様のマットレスとして構成されているが、オープンファスナの配置が異なっている。
【００３５】
第１実施形態では、１本のオープンファスナ４により上面カバー２０と下面カバー２１が着脱可能に構成されているが、第２実施形態では、２本のオープンファスナ４，５により上面カバー２０と下面カバー２１が着脱可能に構成されている。
【００３６】
オープンファスナ４，５は、第１実施形態と同様に構成されているが、配置される位置が異なっている。すなわち、オープンファスナ４，５は、それぞれ、上面カバー２０及び下面カバー２１の外縁に沿って間隔を開けること無く一列に配されており、外縁の内側は、オープンファスナ４，５により隙間の無く取り囲まれた状態となる。
【００３７】
ここで、図４（ａ），（ｂ）により、各オープンファスナ４，５の配置について説明するが、図中、上面カバー２０及び下面カバー２１の下側の短辺の中央位置を下側中央位置とし、上側の短辺の中央位置を上側中央位置とする。
【００３８】
オープンファスナ４は、上面カバー２０及び下面カバー２１の外縁における一方の長辺を通過し、下側中央位置と上側中央位置とを結ぶコの字型の区間に対応して配されており、始端４ｓが下側中央位置に、終端４ｅが上側中央位置に配されている。
【００３９】
また、オープンファスナ５は、上記外縁における他方の長辺を通過し、下側中央位置と上側中央位置とを結ぶコの字型の区間に対応して配されており、始端５ｓが上側中央位置に、終端５ｅが下側中央位置に配されている。
【００４０】
そして、第１実施形態と同様にして、オープンファスナ４の終端部分４ｂは、オープンファスナ５の始端部分５ａの内側に配され、オープンファスナ５の終端部分５ｂは、オープンファスナ４の始端部分４ａの内側に配されている。このため、オープンファスナ４，５を完全封鎖状態にすると、第１実施形態と同様にして、その終端部分は、他方のオープンファスナの始端部分に覆われた状態になる。
【００４１】
また、第１実施形態と同様、上面テープと下面テープが分離した状態で、オープンファスナ４，５に設けられたスライダを上止まで移動させると、柄部の先端が下面テープの終端部分（始端部分と重なる部分）からはみ出た状態になるよう、柄部の長さや取付位置が調整されている。このため、完全封鎖状態となった際、スライダの柄部の先端が始端部分からはみ出た状態となる。
【００４２】
無論、２本のオープンファスナに限らず、３本以上のオープンファスナにより上面カバー２０と下面カバー２１が着脱可能に構成されていても良い。このような場合には、これらのオープンファスナを、上面カバー２０及び下面カバー２１の外縁に沿って間隔を開けること無く一列に配し（換言すれば、外縁を構成する各区間に対応して各オープンファスナを配し）、外縁の内側がこれらのオープンファスナにより隙間の無く取り囲まれた状態とすることが考えられる。そして、同様にして、各オープンファスナの終端部分が、隣接する他のオープンファスナの始端部分の内側に配された状態にすることが考えられる。
【００４３】
また、第２実施形態では、全てのオープンファスナの終端部分が、隣接する他のオープンファスナの始端部分に覆われた状態となっている。しかしながら、これに限らず、一部のオープンファスナ（少なくとも１つのオープンファスナ）の終端部分が、隣接する他のオープンファスナの始端部分に覆われた状態となるようにしても良い。
【００４４】
［第３実施形態］
次に、第３実施形態の寝具用クッション１について説明する。第３実施形態の寝具用クッション１は、第１実施形態と同様のマットレスとして構成されているが、カバーの構成が異なっている。
【００４５】
第３実施形態では、カバー２は、クッション材３の上面を覆う上面カバー２０と、クッション材３の側面を覆う帯状の側面カバー２２と、クッション材３の下面を覆う下面カバー２１とから構成されている（図５，６参照）。なお、側面カバー２２は、幅の異なる複数の種類が設けられており、各種類の側面カバー２２は、クッション材３の厚さや、複数のクッション材を重ねた際の全体の厚さに対応した幅を有している。
【００４６】
そして、上面カバー２０と側面カバー２２は、１本の上オープンファスナ６により着脱可能に構成されていると共に、下面カバー２１と側面カバー２２は、１本の下オープンファスナ８により着脱可能に構成されている。これらの上，下オープンファスナ６，８は、第１実施形態のオープンファスナ４と同様に構成されているが、配置される位置が異なっている。
【００４７】
まず、上オープンファスナ６の配置について説明する。上オープンファスナ６は、上面テープ６２と側面テープ６３とから構成されており、上面テープ６２が上面カバー２０に、側面テープ６３が側面カバー２２に設けられている。なお、上オープンファスナ６のスライダ６１は、上面テープ６２のエレメントに取り付けられているが、側面テープ６３のエレメントに取り付けられていても良い。
【００４８】
側面テープ６３は、側面カバー２２の一方の長手側の縁部（上縁部）に沿って取り付けられており、上縁部の一端に上オープンファスナ６の始端６ｓが、他端に終端６ｅが配される（図７（ａ）参照）。一方、上面テープ６２は、第１実施形態と同様にして上面カバー２０の外縁に沿って取り付けられており、上面カバー２０の短辺の中央位置に、上オープンファスナ６の両端が位置するよう配されている（図７（ｂ）参照）。
【００４９】
そして、第１実施形態と同様、上オープンファスナ６の始端６ｓは、上述した短辺の中央位置に配されており、終端部分６ｂは、始端部分６ａの内側に配されている。このため、上オープンファスナ６を完全封鎖状態にすると、終端部分６ｂは始端部分６ａに覆われた状態になる。
【００５０】
また、第１実施形態と同様、上面テープ６２と側面テープ６３を分離した状態でスライダ６１を上止まで移動させた際、柄部の先端が上面テープ６２の終端部分６ｂ（始端部分４ａと重なる部分）からはみ出た状態になるよう、柄部の長さや取付位置が調整されている。これにより、完全封鎖状態となった際、スライダ６１の柄部の先端が始端部分６ａからはみ出た状態となる。
【００５１】
次に、下オープンファスナ８の配置について説明する。下オープンファスナ８は、下面テープ８２と側面テープ８３とから構成されており、下面テープ８２が下面カバー２１に、側面テープ８３が側面カバー２２に設けられている。なお、下オープンファスナ８のスライダ８１は、下面テープ８２のエレメントに取り付けられているが、側面テープ８３のエレメントに取り付けられていても良い。
【００５２】
側面テープ８３は、側面カバー２２の他方の長手側の縁部（下縁部）に沿って取り付けられており、下縁部の一端に下オープンファスナ８の始端８ｓが、他端に終端８ｅが配される（図７（ａ）参照）。一方、下面テープ８２は、第１実施形態と同様にして下面カバー２１の外縁に沿って取り付けられており、下面カバー２１の短辺の中央位置に、下オープンファスナ８の両端が位置するよう配されている（図７（ｃ）参照）。
【００５３】
そして、第１実施形態と同様、下オープンファスナ８の始端８ｓは、上述した短辺の中央位置に配されており、終端部分８ｂは、始端部分８ａの内側に配されている。このため、下オープンファスナ８を完全封鎖状態にすると、終端部分８ｂは始端部分８ａに覆われた状態になる。
【００５４】
また、第１実施形態と同様、下面テープ８２と側面テープ８３を分離した状態でスライダ８１を上止まで移動させた際、柄部の先端が下面テープ８２の終端部分８ｂ（始端部分８ａと重なる部分）からはみ出た状態になるよう、柄部の長さや取付位置が調整されている。これにより、完全封鎖状態となった際、スライダ８１の柄部の先端が始端部分８ａからはみ出た状態となる。
【００５５】
なお、上オープンファスナ６の上面テープ６２と下オープンファスナ８の下面テープ８２の一方にスライダを取り付け、上面テープ６２と下面テープ８２とを着脱可能にしても良い。これにより、上面カバー２０と下面カバー２１とが着脱可能となり、上面カバー２０と下面カバー２１とクッション材３とにより寝具用クッションを構成することができる。
【００５６】
［第４実施形態］
次に、第４実施形態の寝具用クッション１について説明する。第４実施形態の寝具用クッション１は、第３実施形態と同様のマットレスとして構成されているが、オープンファスナの配置が異なっている（図８，９参照）。
【００５７】
第３実施形態では、１本の上オープンファスナ６により上面カバー２０と側面カバー２２が着脱可能に構成されていると共に、１本の下オープンファスナ８により下面カバー２１と側面カバー２２が着脱可能に構成されている。これに対し、第４実施形態では、２本の上オープンファスナ６，７により上面カバー２０と側面カバー２２が着脱可能に構成されていると共に、２本の下オープンファスナ８，９により下面カバー２１と側面カバー２２が着脱可能に構成されている。
【００５８】
これらのオープンファスナ６〜９は、第３実施形態と同様に構成されているが、配置される位置が異なっている。上オープンファスナ６，７は、上面カバー２０に取り付けられた上面テープ６２，７２と、側面カバー２２に取り付けられた側面テープ６３，７３とから構成されており、下オープンファスナ８，９は、下面カバー２１に取り付けられた下面テープ８２，９２と、側面カバー２２に取り付けられた側面テープ８３，９３とから構成されている。
【００５９】
上面テープ６２，７２は、第２実施形態の上面テープと同様にして、上面カバー２０の外縁に沿って間隔を開けること無く一列に並んで配されており、各上面テープの終端部分６ｂ，７ｂは、他方の上面テープの始端部分６ａ，７ａの内側に配されている（図８（ａ）参照）。
【００６０】
また、側面テープ６３，７３は、側面カバー２２の一方の長手側の縁部（上縁部）に沿って間隔を開けること無く一列に並んで配されている。側面テープ６３は、上縁部の一端から中央にかけて配されており、始端６ｓが上縁部の一端に、終端６ｅが中央に配置される。また、側面テープ７３は、上縁部の他端から中央にかけて配されており、始端７ｓが上縁部の中央に、終端７ｅが他端に配置される。そして、側面テープ６３の終端部分６ｂと、側面テープ７３の始端部分７ａは、上縁部の中央で重なった状態で配されている。
【００６１】
このため、上面カバー２０と側面カバー２２を結合し、上オープンファスナ６，７を完全封鎖状態にすると、第１実施形態と同様にして、各オープンファスナの終端部分は、隣接する他のオープンファスナの始端部分に覆われた状態になる。
【００６２】
一方、下面テープ８２，９２は、第２実施形態の下面テープと同様にして、下面カバー２１の外縁に沿って間隔を開けること無く一列に並んで配されており、各下面テープの終端部分８ｂ，９ｂは、他方の下面テープの始端部分８ａ，９ａの内側に配されている（図８（ｂ）参照）。
【００６３】
また、側面テープ８３，９３は、側面カバー２２の他方の長手側の縁部（下縁部）に沿って間隔を開けること無く一列に並んで配されている。側面テープ８３は、下縁部の一端から中央にかけて配されており、始端８ｓが下縁部の一端に、終端８ｅが中央に配置される。また、側面テープ９３は、下縁部の他端から中央にかけて配されており、始端９ｓが下縁部の中央に、終端９ｅが他端に配置される。そして、側面テープ８３の終端部分８ｂと、側面テープ９３の始端部分９ａは、下縁部の中央で重なった状態で配されている。
【００６４】
このため、下面カバー２１と側面カバー２２を結合し、下オープンファスナ８，９を完全封鎖状態にすると、第１実施形態と同様にして、各オープンファスナの終端部分は、隣接する他のオープンファスナの始端部分に覆われた状態になる。
【００６５】
また、第１実施形態と同様、テープを分離した状態で上，下オープンファスナ６〜９に設けられたスライダを上止まで移動させると、柄部の先端がテープの終端部分（始端部分と重なる部分）からはみ出た状態になるよう、柄部の長さや取付位置が調整されている。このため、完全封鎖状態となった際、スライダの柄部の先端が始端部分からはみ出た状態となる。
【００６６】
無論、２本の上オープンファスナ６，７に限らず、３本以上のオープンファスナにより上面カバー２０と側面カバー２２が着脱可能に構成されていても良い。このような場合には、これらのオープンファスナの上面テープを、上面カバー２０の外縁に沿って間隔を開けること無く一列に配し（換言すれば、外縁を構成する各区間に対応して各上面テープを配し）、外縁の内側がこれらのオープンファスナにより隙間の無く取り囲まれた状態とすることが考えられる。また、同様にして、各上面テープの終端部分が、隣接する他のオープンファスナの始端部分の内側に配された状態にすることが考えられる。
【００６７】
さらに、側面テープを、側面カバー２２の上縁部に沿って間隔を開けること無く一列に配し（換言すれば、上縁部を構成する各区間に対応して各側面テープを配し）、同様にして、各側面テープの終端部分と、隣接する他の側面テープの始端部分とが重なった状態とすることが考えられる。これにより、各オープンファスナを完全封鎖状態にすると、第３実施形態と同様にして、各オープンファスナの終端部分が、隣接する他のオープンファスナの始端部分に覆われた状態になる。
【００６８】
無論、同様にして、２本の下オープンファスナ８，９に替えて、３本以上のオープンファスナにより下面カバー２１と側面カバー２２を着脱可能に構成することも考えられる。
また、第４実施形態では、全てのオープンファスナの終端部分が、隣接する他のオープンファスナの始端部分に覆われた状態となっている。しかしながら、これに限らず、一部のオープンファスナ（少なくとも１つのオープンファスナ）の終端部分が、隣接する他のオープンファスナの始端部分に覆われた状態となるようにしても良い。
【００６９】
また、上オープンファスナ６，７の上面テープと下オープンファスナ８，９の下面テープの一方にスライダを取り付け、上面テープと下面テープとを着脱可能にしても良い。これにより、上面カバー２０と下面カバー２１とが着脱可能となり、上面カバー２０と下面カバー２１とクッション材３とにより寝具用クッションを構成することができる。
【００７０】
［効果］
第１〜第４実施形態によれば、各オープンファスナを完全に閉じた状態にすると、オープンファスナの終端部分は、当該オープンファスナ又は隣接する他のオープンファスナの始端部分に覆われた状態となる。つまり、上面カバーや下面カバーや側面カバーを結合させた際に、オープンファスナの終端部分を隠すことができる。
【００７１】
このため、仮に、上面カバー等を交換した結果、オープンファスナを構成する各テープに設けられたエレメントの数に相違が生じ、オープンファスナを完全に閉じた際に終端部分に係合不可能なエレメント（むき出しの状態になるエレメント）が生じたとしても、該エレメントが人目に付くことや、ユーザの体や衣服等の物品に引っ掛かることは無い。
【００７２】
したがって、見栄えの悪化や不利益を防止しつつ、オープンファスナにより上面カバー等を着脱可能とすることができる。
さらに、第１〜第４実施形態によれば、上面カバー２０や下面カバー２１や側面カバー２２がオープンファスナにより着脱可能であるため、容易に、クッション材３を厚さの異なるものに変更したり、クッション材３の枚数を変更したりすることができる。したがって、容易且つ柔軟に、寝具用クッション１の厚さや柔らかさ等を調整することができる。
【００７３】
また、ベッドや畳や床の上等、様々な場所で寝具用クッション１を使用することが想定されるが、使用場所によって寝具用クッション１の厚さや柔らかさ等を調整することができ、より快適に寝具用クッション１を使用することができる。
【００７４】
さらに、複数のクッション材３を重ねた状態で使用している場合には、カバー２を構成する各部分を別途有していれば、これらのクッション材３を複数に分けることにより、１つの寝具用クッション１から複数の寝具用クッション１を構成することができる。
【００７５】
このため、例えば、子供が生まれた際や、急な来客があった際等に新たに寝具用クッション１を設けることができ、敷布団やマットレスを別途購入する必要が無く、非常に経済的である。
【００７６】
また、これとは反対に、複数の寝具用クッション１を有していれば、これらで用いられていたクッション材３を取り出して重ねて使用することで、厚さや柔らかさ等が増した１つの寝具用クッション１を新たに設けることもできる。
【００７７】
このため、不要となった寝具用クッション１を有効に活用することができ、資源の無駄遣いを防止できると共に、寝具用クッション１を破棄する負担が無くなる。
また、寝具用クッション１では、複数のクッション材３が重なった状態で上面カバー２０と下面カバー２１により覆われているため、クッション材３がずれることが無く、快適に使用することができる。また、上面カバー２０が汚れた場合等には、上面カバーのみを交換して寝具用クッションを使用することができる。
【００７８】
また、各季節に応じた複数種類の上面カバー２０を設け、季節毎に上面カバー２０を交換して使用しても良い。また、夏用の上面カバー２０は、当該上面カバー２０に接触したユーザに冷感を与える接触冷感生地により構成されていても良い。また、防水性を有するシート等として構成された上面カバー２０を設け、寝具用クッション１を老人介護や病人の看護に用いても良い。
【００７９】
［他の実施形態］
第１〜第４実施形態では、マットレスとして構成された寝具用クッション１のカバー２に本発明を適用した場合を例示した。本発明は、マットレスのカバー２以外にも、第１〜第４実施形態と同様にして厚さの調整を可能とした敷布団，掛布団，座る際に臀部の下に敷かれるクッション等のカバーにも適用可能である。
【００８０】
さらに、これ以外にも、閉じた経路（始点と終点が同じ位置にある経路）に沿って配されたオープンファスナにより一部を着脱可能とした寝具，クッション，衣類，鞄，帽子等といった様々な機器にも適用可能である。
【００８１】
このようなカバーや機器に本発明を適用した場合であっても、同様の効果を得ることができる。
［特許請求の範囲との対応］
上記実施形態の説明で用いた用語と、特許請求の範囲の記載に用いた用語との対応を示す。
【００８２】
カバー２が着脱具の一例に相当する。
また、第１実施形態の上面カバー２０が第１部分の一例に、下面カバー２１が第２部分の一例に、オープンファスナ４の蝶棒４２ｂ，箱棒４３ｂ，箱４３ｄが連結部の一例に、始端４ｓが線ファスナの一端の一例に、始端部分４ａが一端側部分の一例に、終端４ｅが他端の一例に、終端部分４ｂが他端側部分の一例に相当する。
【００８３】
また、第２実施形態の上面カバー２０が第１部分の一例に、下面カバー２１が第２部分の一例に、オープンファスナ４，５の始端４ｓ，５ｓが線ファスナの一端の一例に、始端部分４ａ，５ａが一端側部分の一例に、終端４ｅ，５ｅが他端の一例に、終端部分４ｂ，５ｂが他端側部分の一例に相当する。
【００８４】
また、第３実施形態の上面カバー２０，下面カバー２１が第１部分の一例に、側面カバー２２が第２部分の一例に、始端６ｓ，８ｓが線ファスナの一端の一例に、始端部分６ａ，８ａが一端側部分の一例に、終端６ｅ，８ｅが他端の一例に、終端部分６ｂ，８ｂが他端側部分の一例に相当する。
【００８５】
また、第４実施形態の上面カバー２０，下面カバー２１が第１部分の一例に、側面カバー２２が第２部分の一例に、始端６ｓ〜９ｓが線ファスナの一端の一例に、始端部分６ａ〜９ａが一端側部分の一例に、終端６ｅ〜９ｅが他端の一例に、終端部分６ｂ〜９ｂが他端側部分の一例に相当する。
【符号の説明】
【００８６】
１…寝具用クッション、２…カバー、２０…上面カバー、２１…下面カバー、２２…側面カバー、３…クッション材、４…オープンファスナ、５…オープンファスナ、６…上オープンファスナ、７…上オープンファスナ、８…下オープンファスナ、９…下オープンファスナ。
【図１】
2016174968.tif 000003
【図２】
2016174968.tif 000004
【図３】
2016174968.tif 000005
【図４】
2016174968.tif 000006
【図５】
2016174968.tif 000007
【図６】
2016174968.tif 000008
【図７】
2016174968.tif 000009
【図８】
2016174968.tif 000010
【図９】
2016174968.tif 000011